【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】  第１ターミナルに着信したデジタル電気信号を第１ターミナルから光ファイバを通して第２ターミナルへ転送する方法において、
スペクトル拡散方法を用いてデジタル電気信号をまず拡散し、次に無線周波数サブキャリア上でこれを変調し、変調された電気信号を発生し、最後に光信号へ変換し、この光信号を光ファイバを通して第２ターミナルへ送信し、第２ターミナル内で受信光信号としてこれを受信し、第２ターミナル内で受信した光信号に対し逆の順序でほぼ逆の動作を実行することを特徴とする、デジタル電気信号を転送する方法。
【請求項２】  第１ターミナルに着信したデジタル電気信号を第１ターミナルから光ファイバを通して第２ターミナルへ転送する方法であって、
前記第１ターミナルにおいて、
前記デジタル電気信号をスペクトル拡散変調し、スペクトル拡散変調された電気信号を発生し、
無線周波数サブキャリア上で前記スペクトル拡散変調された電気信号を変調し、変調されたサブキャリア信号を発生し、
該変調されたサブキャリア信号を使ってモノクロームの光波を変調し、変調された光波を発生し、
変調された光波を光ファイバを通して第２ターミナルに送信し、
前記第２ターミナルにおいて、光ファイバを通して受信した変調された光波を電気信号に変換し、
前記電気信号を無線周波数サブキャリアの周波数で復調し、スペクトル拡散され、復調された電気信号を発生し、
スペクトル拡散され、復調された前記電気信号をスペクトル拡散復調し、前記第１ターミナルに着信した前記デジタル電気信号に対応するデジタル電気信号を発生することを特徴とする、デジタル電気信号を転送する方法。
【請求項３】  光信号に変換する前、またはモノクロームの光波を変調する前に、この変調された電気信号またはサブキャリア信号に、制御情報を含む制御デジタル信号を加算することを特徴とする、請求項１または２に記載の方法。
【請求項４】  第１ターミナルに着信したデジタル電気信号を転送する方法であって、
制御デジタル信号、デジタル電気信号を制御するのに使用される制御情報を含むデジタル制御信号およびデジタル電気信号のうちの第１の信号を１つの無線周波数サブキャリア上で変調し、前記デジタル制御信号および前記デジタル電気信号のうちの、前記第１の信号と異なる第２の信号をスペクトル拡散方法を使って無線周波数サブキャリアのうちの異なるサブキャリアで変調することを特徴とする、デジタル電気信号を転送する方法。
【請求項５】  変調の際に前記サブキャリアのうちの１つがベースバンドを含むことを特徴とする、請求項４に記載の方法。
【請求項６】  前記第１の信号を変調する工程において、ＴＤＭＡを使って前記第１の信号を変調することを特徴とする、請求項４また５に記載の方法。
【請求項７】  前記第２の信号を変調する工程において、ＣＤＭＡを使って第２の信号を変調することを特徴とする、請求項４〜６のいずれかに記載の方法。
【請求項８】  １本の光ファイバによって接続された少なくとも２つのターミナルを含むネットワークであって、
光ファイバを通して光信号を送信するための送信手段を含み、該送信手段がスペクトル拡散方法を使って、前記ターミナルに着信した第１のデジタル電気信号をまず拡散し、拡散信号を発生し、次にゼロでない周波数、特に高い周波数を有する無線周波数サブキャリア上で拡散信号を変調し、変調された信号を発生し、次にこの変調された信号を光信号に変換し、光ファイバを通してこの光信号を送信するようになっていることを特徴とする、少なくとも２つのターミナルを含むネットワーク。
【請求項９】  光ファイバを通して送信された光信号を受信するための受信手段を含み、該受信手段が、受信した光信号をまず電気信号に変換し、次にこの電気信号を復調し、復調された電気信号を発生し、最後にスペクトル拡散方法を使って復調された電気信号を逆拡散するようになっていることを特徴とする、請求項８に記載のネットワーク。
【請求項１０】  前記送信手段が変調された信号に対し、第２のデジタル電気信号を加算し、加算された信号を発生し、次に加算された信号を光信号に変換し、光ファイバを通してこの光信号を送信するようになっていることを特徴とする、請求項８または９に記載のネットワーク。
【請求項１１】  前記送信手段が変調された信号に対し、第２のデジタル電気信号を加算し、加算された信号を発生し、次に加算された信号を光信号に変換し、光ファイバを通してこの光信号を送信するようになっており、
受信手段が光ファイバを通して送信された前記光信号を受信するようになっており、該受信手段が受信された光信号を電気信号にまず変換し、次のこの電気信号を第２デジタル電気信号に対応する低周波信号および高周波信号に分割し、高周波信号を復調し、最後に逆拡散し、第１デジタル電気信号に対応する信号を発生するようになっていることを特徴とする、請求項８に記載のネットワーク。
【請求項１２】  第１ターミナルと、第２ターミナルと、前記第１ターミナルと第２ターミナルとを接続する光ファイバとを備えたネットワークであって、
第１ターミナルに送信手段が設けられており、該送信手段が、
スペクトル拡散方法を使って第１デジタル電気信号を拡散し、拡散された電気信号を発生するための拡散手段と、
ゼロでない周波数、特に高い周波数を有する無線周波数サブキャリア上で前記拡散された電気信号を変調し、変調された電気信号を発生するよう、前記拡散手段に接続された変調手段と、
光波上で前記変調された電気信号を変調し、光信号を発生するよう、前記変調手段および光ファイバを通して光信号を送信するよう光ファイバに更に接続されている変換手段とを備えたことを特徴とするネットワーク。
【請求項１３】  前記送信手段が更に、
前記変調手段と前記変換手段との間に接続されており、第１入力端、第２入力端および出力端を有する加算手段とを備え、
前記第１入力端が前記変調手段に接続されており、
前記出力端が前記変換手段に接続されており、
前記変換手段によって変調信号を変換する前に、前記第２入力端が前記変調手段に加算される第２デジタル電気信号を受信するように接続されていることを特徴とする、請求項１２に記載のネットワーク。
【請求項１４】  第２ターミナル内に受信手段が設けられており、該受信手段が、
光信号を受信し、この光信号のパワーを変換電気信号に変換するよう、前記光ファイバに接続された変換手段と、
前記変換された電気信号を復調し、復調された電気信号を発生するよう、前記変換手段に接続された復調手段と、
スペクトル拡散方法を使って前記復調された電気信号を逆拡散し、第１デジタル電気信号に対応する逆拡散された電気信号を発生するよう、前記復調手段に接続された逆拡散手段とを備えたことを特徴とする、請求項１２に記載のネットワーク。
【請求項１５】  前記送信手段が更に、前記変調手段と前記変換手段との間に接続された加算手段を更に含み、該加算手段が、第１入力端と、第２入力端と、出力端とを有し、
前記第１入力端が前記変調手段に接続されており、
前記出力端が前記変換手段に接続されており、
前記第２入力端が前記変換手段によって変調信号を変換する前に、前記変調手段に加算される第２デジタル電気信号を受信するように接続されており、
前記受信手段が前記変換手段と前記復調手段との間に接続された分割手段を更に含み、該分割手段が入力端と、第１出力端と、第２出力端とを有し、
前記入力端が、変換された電気信号を受信するよう、前記第２ターミナル内の前記変換手段に接続されており、前記分割手段が変換された電気信号を、前記第２デジタル電気信号に対応し、前記分割手段の第１出力端に発生される低周波の電気信号と高周波の電気信号とに分割し、前記高周波の電気信号が分割手段の第２出力端に発生され、第２出力端が前記復調手段に接続されていることを特徴とする、請求項１４に記載のネットワーク。
【請求項１６】  １つの無線周波数サブキャリア上で搬送される制御チャンネルおよび前記無線周波数サブキャリアのうちの異なるサブキャリア（単数または複数）上で搬送される、スペクトル拡散方法によって発生された少なくとも１つのスペクトル拡散されたデータチャンネルを特徴とする、１本の光ファイバによって接続された少なくとも２つのターミナルを含むネットワーク。
【請求項１７】  使用される前記無線周波数サブキャリアのうちの１つがベースバンドであることを特徴とする、請求項１６に記載のネットワーク。
【請求項１８】  前記制御チャンネルをＴＤＭＡで変調することを特徴とする、請求項１または１７に記載のネットワーク。
【請求項１９】  前記制御チャンネルをＣＤＭＡで変調することを特徴とする、請求項１６〜１８のいずれかに記載のネットワーク。
【請求項２０】  １本の光ファイバによって接続された少なくとも２つのターミナルを含むネットワークであって、
前記光ファイバを通して光信号を送信するための送信手段が設けられており、該送信手段が、スペクトル拡散方法を使って拡散を行うことにより、前記少なくとも２つのターミナルのうちの第１ターミナルに着信した第１デジタル電気信号を拡散し、ゼロでない周波数、特に高周波を有する無線周波数サブキャリア上で変調された第１デジタル電気信号を前記スペクトル拡散された電気信号に加算して、加算された電気信号を発生し、次に加算された電気信号を光信号に変換し、前記光ファイバを通して前記光信号を送信するようになっていることを特徴とするネットワーク。
【請求項２１】  前記光ファイバ上の光信号を受信するための受信手段が設けられており、該受信手段が受信した光信号をまず変換電気信号に変換し、次に変換した電気信号を前記第１のデジタル電気信号に対応する信号を発生するよう逆拡散される低周波信号と第２デジタル電気信号に対応する信号を発生するよう復調される高周波信号とに分割するようになっていることを特徴とする、請求項２０に記載のネットワーク。
【請求項２２】  第１ターミナルと、第２ターミナルと、前記第１ターミナルと前記第２ターミナルとを接続する光ファイバとを備えたネットワークであって、
前記第１ターミナル内に送信手段が設けられており、該送信手段が、
スペクトル拡散方法を使って第１のデジタル電気信号を拡散し、拡散された電気信号を発生させるための拡散手段と、
第１入力端と、第２入力端と、出力端とを有し、前記第１入力端が前記拡散手段に接続された加算手段と、
該加算手段のゼロ第２入力端に接続されており、ゼロでない周波数、特に高周波を有する無線周波数サブキャリア上の第２デジタル電気信号を変調し、前記変調された電気信号が拡散された電気信号に加算され、加算された電気信号を発生するために、前記加算手段の前記第２入力端に与えられる前記変調された電気信号を発生するための変調手段と、
前記加算手段の出力端に接続されており、光波上の前記加算された電気信号を変調して光信号を発生するための、さらに前記光ファイバに接続されており、前記光ファイバ上の前記光信号を送信するための変換手段とを備えたことを特徴とするネットワーク。
【請求項２３】  前記第２ターミナル内に受信手段が設けられており、該受信手段が、
光信号を受信し、光信号のパワーを変換された電気信号に変換するよう、前記光ファイバに接続された変換手段と、
入力端と、第１出力端と、第２出力端とを有し、前記第１入力端が変換手段に接続されており、変換された電気信号を、前記第１出力端に発生される低周波の電気信号と第２出力端に発生される高周波の電気信号とに分割するための分割手段と、
前記分割手段の第１出力端に接続されており、スペクトル拡散方法を使って低周波の電気信号を逆拡散し、前記第１デジタル電気信号に対応する逆拡散された電気信号を発生するための逆拡散手段と、
前記分割手段の第２出力端に接続されており、前記高周波の電気信号を前記第２デジタル電気信号に対応する復調された電気信号に復調するための復調手段とを備えたことを特徴とする、請求項２２に記載のネットワーク。